(57)【要約】      （修正有）【課題】飲料容器を覆う蓋体であり、容器に特別な仕掛けを有す専用容器でなくとも適用可能で、飲用時には片手でも蓋体を容易に開くことができ、保温性、防塵性、防溢性いずれの機能も有する飲料容器の蓋体を提供する。【解決手段】飲料容器１１の上部開口部１２を覆った蓋部２に回動軸３を支承する２つの突出部を形成して、可撓性のある材料で形成した保持具４には飲料容器１１の壁１３を挿入するすり割りと、回動軸３を挿入する貫通穴を設け、回動軸３で蓋部２と保持具４を係合させて、このすり割りを保持具４の嵌着用溝として作用させることで、容器の大きさや形状に制約されにくい適用範囲の広い構造の飲料容器の蓋体を実現できる。【選択図】図４
0003107829.tif 000002
【実用新案登録請求の範囲】
【請求項１】
飲料容器の開口部を覆う蓋体において、
蓋部に有する回動支承部と、嵌着用溝を有する可撓性部材で形成する保持具と、前記回動支承部と前記保持具を係合する回動軸とを備えており、
前記飲料容器の側壁に前記嵌着用溝を挿入して、前記保持具を前記飲料容器との係止をすることと、前記嵌着用溝から前記側壁を離脱させることを成す、前記側壁に着脱自在な保持具であって、前記係止により前記蓋部が前記飲料容器の開口部を覆うことを特徴とする着脱自在保持具を備えた容器用蓋体。
【請求項２】
飲料容器に装着した、前記飲料容器の開口部を覆う蓋体において、
蓋部に有する回動支承部と、嵌着用溝を有する可撓性部材で形成する保持具と、前記回動支承部と前記保持具を係合する回動軸とを備えており、
前記飲料容器の開口部の端部に前記嵌着用溝を挿入して、前記保持具を前記飲料容器との係止をすることと、前記端部から前記嵌着用溝を離脱させることを成す、前記端部に着脱自在な保持具であって、
飲料容器の開口部の端部に前記嵌着用溝を挿入して、前記蓋部が前記飲料容器の開口部を覆う状態で、前記蓋部と前記保持具と前記回動軸を前記飲料容器に装着したことを特徴とする着脱自在保持具を備えた容器用蓋体。
【請求項３】
前記蓋部と前記保持具と前記回動軸とが合成樹脂で形成される請求項１あるいは２に記載の着脱自在保持具を備えた容器用蓋体。
【考案の詳細な説明】
【技術分野】
【０００１】
本考案はコーヒ等の飲料カップの蓋体に関し、特に飲料容器に対して着脱自在の保持具を備えた蓋体に関する。
【背景技術】
【０００２】
一般に使用する飲料容器であるコーヒカップや湯呑茶碗、あるいはコップ等は上面が開口したものであるので、温度の保持や塵埃を防ぐことや、あるいは運ぶ時の湯こぼれ等に対して使用者の注意を要する。
【０００３】
そのため、専用蓋を配した特許文献１（コップの防溢蓋）、特許文献２（無零溢飲用容器）、特許文献３（容器）、特許文献４（コップ用蓋）、特許文献５（蓋付きコップ）、特許文献６（蓋付きジョッキ）などが開示されている。これらはその専用蓋の寸法及び形状を容器の開口部の全周に合わせて形成して、さらに嵌合してあるので、保温性、防塵性、防溢性とも優れているが、専用蓋が必要である。また蓋の取外し時に容器に強い力を与えるので、溢れ出ることに注意して使用する問題がある。
【０００４】
そこで、蓋の取外し時に強い力を与えることなく、飲用できるようにした例として、特許文献７（容器）と特許文献８（キャップ）が挙げられる。これは、容器本体の開口部全体を覆う蓋保持体と、その蓋保持体の一部に小径穿孔部を開けて、その穿孔部のみを開閉する回動蓋を備えた構造である。この構造は使用者が片手で容器を持ちながら、親指で蓋を回動して飲口を開けて飲用できるので、上記の特許文献１乃至６のように強い力を要することなく利用可能である。しかし、これらの例は蓋保持体が飲料物の入った容器と寸法形状を一致させる必要がある。さらに、これらの例は飲口を容器の開口部に比べ小さくする構造になるので、走行車内やジョッキング中に使用する上で利便性を与えるが、使用者がより安寧を求める上では、容器内の飲料物が判るように開口部を使用者が直視して飲用することが望ましい。    
【０００５】
そのような例をさらに改善して、容器の開口部全体を覆い、また取外しが容易である上に、飲用時には容器の開口部全体を直視できる例としては、特許文献９がある。この例はマグカップ容器の把手柄にナットやネジあるいはピンを用いた係合部を設け、蓋体をこの係合部で係止させる構造である。そこで、この例では蓋体を容器の開口部形状に合わせる必要がないので、容器に合わせた専用蓋体である必要がない。しかし、容器には係合機能を持った把手柄が必要であるので、特別な形状を成した容器でなければならない。
【０００６】
【特許文献１】実公昭３６―７９８５号公報
【特許文献２】特公昭４７−２２６２０号公報
【特許文献３】実公昭４７―３５０７号公報
【特許文献４】実開昭５０−１０５７９号公報
【特許文献５】実開昭５１−６５９７８号公報
【特許文献６】実開昭５９−１４３３７８号公報
【特許文献７】実開昭６０−８４５４２号公報
【特許文献８】特開２００３−１９１９９１公報
【特許文献９】特開２００４−１７５３５９公報
【考案の開示】
【考案が解決しようとする課題】
【０００７】
本考案は以上に説明した点に鑑み、以下の課題を解決することにある。
（１）容器の開口部全体を覆う蓋体であり、飲用時に容器の開口部全体が直視可能なこと。
（２）容器に特別な仕掛けを有す専用容器でなくとも適用可能であること。
（３）容器の大きさや形状に制約されにくい適用範囲の広い構造であること。
（４）飲用時には片手でも蓋体を容易に開くことが可能な構造であること。
（５）保温性、防塵性、防溢性いずれの機能も有すること。
（６）簡単で安価に製造可能な構造であること。
【０００８】
従来開示されている技術に従えば、（５）保温性、防塵性、防溢性いずれの機能も有する点では、特許文献１−９のいずれにおいてもその目的を有している。しかし、（１）容器の開口部全体を覆う蓋体であり、飲用時に容器の開口部全体が直視可能であって、（３）容器の大きさや形状に制約されにくい適用範囲の広い構造であり、且つ（４）飲用時には片手でも蓋体を容易に開くことが可能な構造である目的の為には、特許文献１−８のいずれの技術も、その目的にそぐわない。そして、特許文献９はこれら（１）（３）（４）の目的を満たすものの、（２）容器に特別な仕掛けを有す専用容器でなくとも適用可能である目的を満たしていない。
【０００９】
このような従来技術上の問題を全て凌駕するように、本考案では上記の（１）〜（６）の目的を満たして、さらに従来構造より簡便で安価な構造を提供することを目的としている。
【課題を解決するための手段】
【００１０】
請求項１の飲料容器の開口部を覆う容器用蓋体１は、蓋部２に有する回動支承部７、８と、すり割り状の嵌着用溝９を有する可撓性部材で形成する保持具４と、回動支承部７、８と保持具４を係合する回動軸３とを備えており、飲料容器の側壁に嵌着用溝９を挿入して、保持具４を飲料容器に対して係止させることと、嵌着用溝９から側壁を離脱させることを成す、側壁に着脱自在な保持具４であって、係止により蓋部２が飲料容器の開口部を覆う、着脱自在保持具を備えた容器用蓋体１である。
【００１１】
請求項２の飲料容器１１に装着してその開口部１２を覆う容器用蓋体１は、蓋部２に有する回動支承部７、８と、すり割り状の嵌着用溝９を有する可撓性部材で形成する保持具４と、回動支承部７、８と保持具４を係合する回動軸３とを備えており、飲料容器１１の開口部１２の端部に嵌着用溝９を挿入して、保持具４を飲料容器１１との係止をすることと、端部から嵌着用溝９を離脱させることを成す、端部に着脱自在な保持具４であって、飲料容器１１の開口部１２の端部に嵌着用溝９を挿入して、蓋部２が飲料容器１１の開口部１２を覆う状態で、蓋部２と保持具４と回動軸３を飲料容器１１に装着した、着脱自在保持具を備えた容器用蓋体１である。
【００１２】
請求項３の容器用蓋体は、請求項１あるいは２の蓋体２と保持具４と回動軸３とが合成樹脂で形成される容器用蓋体１である。
【考案の効果】
【００１３】
請求項１の構成は、蓋部に有する回動支承部と、嵌着用溝を有する可撓性部材で形成する保持具と、回動支承部と保持具を係合する回動軸とを設けたことで、課題（１）容器の開口部全体を覆う蓋体であり、飲用時に容器の開口部全体が直視可能なことと、課題（４）飲用時には片手でも蓋体を容易に開くことが可能な構造であることを実現する。そして、飲料容器の側壁に嵌着用溝を挿入して、保持具を飲料容器との係止をすることと、嵌着用溝から側壁を離脱させることを成す、側壁に着脱自在な保持具であって、係止により蓋体が飲料容器の開口部を覆う構造にすることで、課題（２）容器に特別な仕掛けを有す専用容器でなくとも適用可能であることと、課題（３）容器の大きさや形状に制約されにくい適用範囲の広い構造であることと、（５）保温性、防塵性、防溢性いずれの機能も有することを実現する。さらに、この構成は蓋部と回動軸と保持具の３要素のみの構成なので、課題（６）簡単で安価に製造可能な構造を提供できる。
【００１４】
請求項２の構成は、飲料容器の開口部を覆い、飲料容器に装着した蓋部に、回動支承部を有し、嵌着用溝を有する可撓性部材で形成する保持具と、回動支承部と保持具を係合する回動軸とを設けたことで、課題（１）と（４）を達成する。そして、飲料容器の開口部の端部に嵌着用溝を挿入して、保持具を飲料容器との係止をすることと、端部から嵌着用溝を離脱させることを成す、端部に着脱自在な保持具であって、飲料容器の開口部の端部に嵌着用溝を挿入して、蓋部が飲料容器の開口部を覆う状態で、蓋部と保持具と回動軸を飲料容器に装着した構造にすることで、課題（２）、（３）、（５）を達成する。さらに、この構成は、蓋部と回動軸と保持具の３要素のみの構成の容器用蓋体を配したものなので、課題（６）を達成できる。
【００１５】
請求項３の構成は、請求項１あるいは請求項２の蓋部と保持具と回動軸の３要素部品が、プラスチック等の成形技術を用いて、この容器用蓋体の材料をより具現的に開示して、より容易に実現できる効果を奏する。
【考案を実施するための最良の形態】
【００１６】
本考案の最良の形態を以下の実施例で詳細に説明する。
【実施例１】
【００１７】
図１はこの考案の容器用蓋体の一実施態様を示す側面図であり、図２はその断面図であり、図３はその正面図である。この考案の容器用蓋体１は、蓋部２と回動軸３と保持具４の３つの部品で構成する。
【００１８】
蓋部２は、図示しないコップ、湯飲み茶碗、コーヒカップ等の飲料容器の開口部の直径より大きい寸法Ａであり、図３に示すように略円形である。この蓋部２の形状は図２の断面図に示すように、円弧状形状であり、円弧状外形の頂部に突起５と、把持部６を有す形状である。そして、この蓋部２はその一部に回動軸３を支承する２つの突出部７、８を形成してある。この突出部７、８は回動軸３を回転支承するもので、２つの突出部７、８の間に保持具４を回転自在に嵌込んである。この蓋部２はＢ面側が飲料容器の開口部に当接して、突起５あるいは把持部６を使用者が持ち上げるかあるいは押すことで回動軸３を支点にしてＣ方向に回動させる。
【００１９】
保持具４はすり割り９の有るフック状に形成してあり、このすり割り９が保持具４の嵌着用溝として用いられる。そして、この保持具４には回動軸３を挿入する貫通穴１０を設けてある。この保持具４はすり割り９が開閉するように、可撓性のある合成樹脂材料で形成するが、合成樹脂材料のみならず、可撓性のある金属材料を使用してもよい。
【実施例２】
【００２０】
図４及び図５は飲料容器を含めた実施例を示す。
【００２１】
図４は蓋部２が円筒形の飲料容器１１の上部開口部１２を覆った状態を示す。保持具４のすり割り９は飲料容器１１の開口部１２側の端部から壁１３に挿入する。可撓性のある保持具４は飲料容器１１の壁１３をすり割り９に挿入して、開口部１２の端部まで押し込む。そこで保持具４の内側舌片１４と外側舌片１５は、壁１３を押圧するので、保持具４はすり割り９が嵌着用溝として作用して飲料容器１１に装着される。したがって、飲料容器１１は特別な仕掛けを有す専用容器でなくとも適用可能である。そして、この状態で運んでも飲用物は保温され、塵埃が入りにくく、またさらにこぼれにくいので、保温性、防塵性、防溢性が得られる。そして蓋部２は飲料容器１１の開口部１２より大きければよいので、開口部１２と蓋部２の寸法形状が一致する必要がないので、容器の大きさや形状に制約されにくい適用範囲の広い構造である。
【００２２】
図５は使用者がコーヒ等飲料物を飲用するさいの飲料容器１１と蓋部２の関係を示す。飲用する場合は、図４に示す蓋部２の閉じた状態から、突起５あるいは把持部６を使用者が持ち上げるかあるいは押すことで回動軸３を支点にして図５の状態にする。そして使用者が飲用するときは、飲料容器１１を片手で持ちながら、中指か薬指で把持部６を押して飲用する。したがって、使用者は飲用時に片手でも蓋体を容易に開くことが可能になり、またさらに、容器の開口部全体を覆う蓋体であり、飲用時に飲用物と開口部全体が直視可能な構造であるから、使用者は安心して安寧を得ることができる。
【００２３】
以上に説明したように、この容器用蓋体は簡単な構造なので、容易に作ることができ安価に提供できる。また、適用可能な飲料容器の開口部の大きさは、蓋部２の寸法以内（実質８〜１０ｃｍ）で保持部４の幅以上であれば、大小いずれであってもよい。これは保持部４の幅が凡そ１ｃｍ程度で機能するので、家庭で使用される飲料容器のほとんどに適用できる。また、この飲料容器は円筒形に限られる必要はない。例えば、開口部が広く、底部が狭い球帯形や、あるいは直方体形、方尖碑形等であっても適用可能である。
【図面の簡単な説明】
【００２４】
【図１】本発明一実施例の蓋体の側面外観図である。
【図２】本発明一実施例の蓋体の断面図である。
【図３】本発明一実施例の蓋体の正面図である。
【図４】本発明の他の実施例の蓋体を容器の上で閉じた状態の断面図である。
【図５】本発明の他の実施例の蓋体を容器の上で開けた状態の断面図である。
【符号の説明】
【００２５】
１  容器用蓋体
２  蓋部
３  回動軸
４  保持具
５  突起
６  把持部
７、８  突出部
９  すり割り
１０  貫通穴
１１  飲料容器
１２  開口部
１３  壁
１４  内側舌片
１５  外側舌片
【図１】
0003107829.tif 000003
【図２】
0003107829.tif 000004
【図３】
0003107829.tif 000005
【図４】
0003107829.tif 000006
【図５】
0003107829.tif 000007